(57)【特許請求の範囲】
【請求項１】
エレベーターかごの出入口を開閉するドアと、前記ドアによる異物挟みを検出するための感圧センサ等の検出手段を備えたエレベーターのドア装置において、
前記検出手段は分割可能な緩衝部材に挟まれて前記エレベーターの戸当り柱に設置されていると共に、前記エレベーターの戸当り柱に設置された前記緩衝部材は、戸閉動作時のドア進行方向側と戸開動作時のドア進行方向側とに分割可能とし、前記戸開動作時のドア進行方向側にある緩衝部材は前記戸閉動作時のドア進行方向側にある緩衝部材より薄いことを特徴とするエレベーターのドア装置。
【請求項２】
前記戸当り柱に設置された前記緩衝部材は、前記戸開動作時のドア進行方向側にある緩衝部材の一部が相対する前記ドアと接触可能となるよう外部に露出し、それ以外の前記戸閉動作時のドア進行方向側にある緩衝部材を含む残りの部分が相対する前記ドアと接触不可能となるように前記戸当り柱内部に格納されていることを特徴とする請求項1記載のエレベーターのドア装置。
【請求項３】
エレベーターかごの出入口を開閉するドアと、前記ドアによる異物挟みを検出するための感圧センサ等の検出手段を備えたエレベーターのドア装置において、
前記検出手段は分割可能な緩衝部材に挟まれて前記ドアの戸当たり部に設置されていると共に、前記ドアの戸当り部に設置された前記緩衝部材は、戸閉動作時のドア進行方向側と戸開動作時のドア進行方向側とに分割可能とし、前記戸閉動作時のドア進行方向側にある緩衝部材は前記戸開動作時のドア進行方向側にある緩衝部材より薄いことを特徴とするエレベーターのドア装置。
【請求項４】
前記ドアの戸当り部に設置された前記緩衝部材は、前記戸閉動作時のドア進行方向側にある緩衝部材の一部が相対するドアと接触可能となるよう外部に露出し、それ以外の前記戸開動作時のドア進行方向側にある緩衝部材を含む残りの部分が相対する前記ドアと接触不可能となるように前記ドア内部に格納されていることを特徴とする請求項３記載のエレベーターのドア装置。
【請求項５】
前記戸当り柱或いは前記ドアに金属製フレームを設け、この金属製フレームに前記緩衝部材を設けたことを特徴とする請求項１または請求項３記載のエレベーターのドア装置。
【請求項６】
戸閉動作時に前記緩衝部材と相対するドアまたは戸当り柱に、異物を挟まずドアが全閉した場合、前記検出手段を作動させることのない第２の緩衝部材を設けたことを特徴とする請求項1または請求項３記載のエレベーターのドア装置。
【請求項７】
前記検出手段は、前記検出手段の検出部が床面からの高さが前記エレベーターの出入口高さにおける下部3分の2以下に設置されていることを特徴とする請求項1または請求項３記載のエレベーターのドア装置。
【発明の詳細な説明】
【技術分野】
【０００１】
本発明は、感圧センサ等を用いてエレベーターのドアによる紐等の柔軟異物の挟み込みを検出するエレベーターのドア装置に関する。
【背景技術】
【０００２】
従来、エレベーターのドア装置として、エレベーターのかごの出入口に配設された開閉扉の閉止方向側先端に、人や物との接触を感知する感圧センサを設け、前記開閉扉の閉止方向先端が閉止作動中に人や物と接触すると、この接触を前記感圧センサによって感知し、閉止作動中の開閉扉を途中から開放作動させるようにしたものが提案されている（例えば特許文献１参照）。
【特許文献１】実開平５−３７８５７号公報
【発明の開示】
【発明が解決しようとする課題】
【０００３】
上記従来技術では、僅かな押圧でも感知できる感圧センサをドアの先端部材に直接接着しているため、ドア閉じ中の振動で誤感知してしまう恐れがあった。また、先端部材に感圧センサを接着しているため、センサ故障時などのセンサ交換が容易ではなかった。
【０００４】
本発明の目的は、誤感知を防止すると共にセンサの交換が容易なエレベーターのドア装置を提供するにある。
【課題を解決するための手段】
【０００５】
上記目的を達成するため本発明では、エレベーターかごの出入口を開閉するドアと、前記ドアによる異物挟みを検出するための感圧センサ等の検出手段を備えたエレベーターのドア装置において、前記検出手段は分割可能な緩衝部材に挟まれて前記エレベーターの戸当り柱に設置されていると共に、前記エレベーターの戸当り柱に設置された前記緩衝部材は、戸閉動作時のドア進行方向側と戸開動作時のドア進行方向側とに分割可能とし、前記戸開動作時のドア進行方向側にある緩衝部材は前記戸閉動作時のドア進行方向側にある緩衝部材より薄いことを特徴とする。
【０００６】
この構成により、検出手段は、分割可能な緩衝部材に挟まれて前記エレベーターの戸当り柱或いは少なくとも一つの前記ドアの戸当り部に設置されているため、誤感知することなくまたセンサの取替え取り付けも容易である。また、感圧センサの感知度を向上することができる。
また、本発明では、前記戸当り柱に設置された前記緩衝部材は、前記戸開動作時のドア進行方向側にある緩衝部材の一部が相対する前記ドアと接触可能となるよう外部に露出し、それ以外の前記戸閉動作時のドア進行方向側にある緩衝部材を含む残りの部分が相対する前記ドアと接触不可能となるように前記戸当り柱内部に格納されていることを特徴とする。
【０００７】
このように構成した本発明では、  この構成により、利用者が誤って台車等を戸当たり柱に衝突させても、センサや緩衝部材の損傷を防止することができる。
【０００８】
また、本発明では、エレベーターかごの出入口を開閉するドアと、前記ドアによる異物挟みを検出するための感圧センサ等の検出手段を備えたエレベーターのドア装置において、  前記検出手段は分割可能な緩衝部材に挟まれて前記ドアの戸当たり部に設置されていると共に、前記ドアの戸当り部に設置された前記緩衝部材は、戸閉動作時のドア進行方向側と戸開動作時のドア進行方向側とに分割可能とし、前記戸閉動作時のドア進行方向側にある緩衝部材は前記戸開動作時のドア進行方向側にある緩衝部材より薄いことを特徴とする。
【０００９】
この構成により、検出手段は、分割可能な緩衝部材に挟まれて前記エレベーターの戸当り柱或いは少なくとも一つの前記ドアの戸当り部に設置されているため、誤感知することなくまたセンサの取替え取り付けも容易である。また、感圧センサの感知度を向上することができる。
【００１０】
また、本発明では、前記ドアの戸当り部に設置された前記緩衝部材は、前記戸閉動作時のドア進行方向側にある緩衝部材の一部が相対するドアと接触可能となるよう外部に露出し、それ以外の前記戸開動作時のドア進行方向側にある緩衝部材を含む残りの部分が相対する前記ドアと接触不可能となるように前記ドア内部に格納されていることを特徴とする。
【００１１】
この構成により、利用者が誤って台車等をドア先端に衝突させても、センサや緩衝部材の損傷を防止することができる。
【００１２】
また、本発明では、前記戸当り柱或いは前記ドアに金属製フレームを設け、この金属製フレームに前記緩衝部材を設けたことを特徴とする。
【００１３】
この構成により、より安定して緩衝部材とセンサを取り付けることができる。
【００１４】
また、本発明では、戸閉動作時に前記緩衝部材と相対するドアまたは戸当り柱に、異物を挟まずドアが全閉した場合、前記検出手段を作動させることのない第２の緩衝部材を設けたことを特徴とする。
【００１５】
この構成により、誤感知による不要動作を防止できる。
【００１６】
また、本発明では、前記検出手段は、前記検出手段の検出部が床面からの高さが前記エレベーターの出入口高さにおける下部3分の2以下に設置されていることを特徴とする。
【００１７】
この構成により、センサを経済的に設置できる。
【発明の効果】
【００１８】
本発明によれば、感圧センサ等の検出手段は、分割可能な緩衝部材に挟まれて戸当り柱或いは少なくとも一つのドアの戸当り部に設置されているため、誤感知することなくまたセンサの取替え取り付けも容易であるという顕著な効果を達成することができる。
【発明を実施するための最良の形態】
【００１９】
以下、本発明に係るエレベーターのドア装置の実施の形態を図に基づいて説明する。
【００２０】
図1は本発明のエレベーターのドア装置の一実施形態を示す片開きかごドア正面図、図２は図1に示す断面Ａ−Ａ視図、図３は変形形態を示す図２相当図、図４は、エレベーターのドア装置の他の実施形態を示す両開きかごドア正面図、図５は図４に示す断面Ｂ−Ｂ視図、図６は変形形態を示す図５相当図、図7は本発明における感圧センサを内蔵した緩衝部材の詳細断面図、図８は本発明における感圧センサを内蔵した緩衝部材の分解図、図９は更に他の実施形態を示す図２相当図、図１０は更に他の実施形態を示す図３相当図である。
【００２１】
図１、２において、かごドア1a、1bの上部はかごドア開閉装置２のレール３に吊られ、かごドア1a、1bの下部は敷居４に設けられた溝に落ち込んでおり、モーター５が回転することによって、図示しない開閉機構によりかごドア開閉装置２のレール３と敷居４の溝に沿って開閉される。かご戸当り柱６には感圧センサ１１を内蔵した緩衝部材１２が設置されており、これと相対するかごドア1aの戸当り部には感圧センサ１１を内蔵していない第２の緩衝部材１３が設置されている。
【００２２】
かごドア1aが全閉すると両方の緩衝部材１２、１３が密着する構造になっており、何らかの異物がかごドア1aとかご戸当り柱６に挟まると感圧センサ１１でその局部的な圧力増加を検出する。感圧センサ１１を内蔵した緩衝部材１２はカバー部分１２aの一部を除きかご戸当り柱６の内部に格納されている。このため、かご戸当り柱6にドア閉じ動作に伴う衝撃以上の大きな外力が働いても、緩衝部材１２や感圧センサ１１の損傷を防止することができる。また、緩衝部材１２を極力目立たないようにすることで意匠性を向上させている。また、感圧センサ１１をかご戸当り柱６に取り付けることにより、ドア開閉に伴う稼動部が無いので故障しにくく、耐屈曲性のあるケーブルを用いる必要が無いため、コストを抑えることが可能である。同様に、かごドア1aに取り付ける感圧センサ１１を内蔵しない第２の緩衝部材１３も一部を除きかごドア1aの内部に格納することで、台車などの衝突による第２の緩衝部材１３の損傷を防止することができるとともに、意匠性を向上させている。
【００２３】
図３は、本発明の一実施形態の変形例における図1の断面Ａ−Ａ相当図で、感圧センサ１１を内蔵した緩衝部材１２はカバー部分１２aの一部を除き金属製のフレーム7内部に格納されており、この金属フレーム7がかご戸当り柱６に固定されている。このため、図２と同様の特徴を持つ。さらに、あらかじめ金属製のフレーム7に感圧センサ１１を内蔵した緩衝部材１２を格納しておき、これをユニット化しておくことで感圧センサ１１が付いていないエレベーターに対して後付けが容易という特徴がある。
【００２４】
次に、図４、図５により本発明の他の実施形態について説明する。図１−３と同じ機能を有するものは、同一符号で示す。図４、図５において、かごドア1a、1bの上部はかごドア開閉装置２のレール３に吊られ、かごドア1a、1bの下部は敷居４に設けられた溝に落ち込んでおり、モーター５が回転することによって、図示しない開閉機構によりかごドア開閉装置２のレール３と敷居４の溝に沿って開閉される。一方のかごドア1a戸当り部には感圧センサ１１を内蔵した緩衝部材１２が設置されており、これと相対するかごドア1ｂ戸当り部には感圧センサ１１を内蔵していない緩衝部材１３が設置されている。かごドアが全閉すると両方の緩衝部材１２、１３が密着する構造になっており、何らかの異物がかごドア1a、1bに挟まると感圧センサ１１でその局部的な圧力増加を検出する。感圧センサ１１を内蔵した緩衝部材１２はカバー部分１２aの一部を除きかごドア1a戸当り部の内部に格納されている。このため、かごドア1aにドア閉じ動作に伴う衝撃以上の大きな外力が働いても、緩衝部材１２や感圧センサ１１の損傷を防止することができる。また、緩衝部材１２を極力目立たないようにすることで意匠性を向上させている。
【００２５】
図６は、本発明の他の実施形態の変形例における図４の断面Ｂ−Ｂ相当図である。感圧センサ１１を内蔵した緩衝部材１２はカバー部分１２aの一部を除き金属製のフレーム7内部に格納されており、この金属フレーム7がかごドア1a戸当り部に固定されている。このため、図５と同様の特徴を持つ。さらに、あらかじめ金属製のフレーム7に感圧センサ１１を内蔵した緩衝部材１２を格納しておき、これをユニット化しておくことで感圧センサ１１が付いていないエレベーターに対して後付けが容易という特徴がある。
【００２６】
なお、本発明の他の実施形態においては、感圧センサ１１はかごドア1a、1bのどちらに取り付けても良い。
【００２７】
図７、８に示すように、感圧センサ１１を内蔵した緩衝部材１２は、相対するドア1ｂの端部の緩衝部材１３と接触し、感圧センサ１１を保護して異物を挟んだ際の圧力を感圧センサ１１に伝えるカバー部分１２aと、感圧センサ１１の本体と、感圧センサ１１を支えて異物を挟んだ際の圧力を逃がさないベース部分１２bとに分割できる。緩衝部材１２のカバー部分１２aは異物を挟んだ際の圧力を感圧センサ１１に伝えるために、簡単に破損することがない程度に薄くて柔らかいものである。逆に、緩衝部材１２のベース部分１２bが薄くて柔らかいと、異物を挟んだ際の圧力により変形してしまうため、感圧センサ１１にうまく圧力が伝わらない恐れがある。そこで、緩衝部材１２のベース部分１２bは異物を挟んだ際の圧力を逃がさず感圧センサ１１に伝えられるよう、カバー部分１２aよりも厚いものである。
【００２８】
この緩衝部材１２のカバー部分１２aは感圧センサ１１を内蔵しない第２の緩衝部材１３と同じ材質・硬度であり意匠的にも違和感がない。緩衝部材１２のベース部分１２bに樹脂や金属を使用すると、エレベーターかごやかごドア1a、1bによる振動を感圧センサ１１に伝えやすいため、緩衝部材１２のベース部分１２bは感圧センサ１１を内蔵しない第２の緩衝部材１３と同じ材質で硬度を高めたものを使用しており、エレベーターかごやかごドア1a、1bの振動を感圧センサ１１に伝えにくくなっている。緩衝部材１２のカバー部分１２aとベース部分１２bは製作性を考慮して両面テープ１４で接着しているが、接着剤や高温での焼付け、もしくは凹凸をつけてお互いをはめ込むように組み立ててもかまわないし，これらの方法を組み合わせても良い。
【００２９】
なお、片引戸形式のエレベーターにおいては、これまで述べてきたものとは逆にかごドアに感圧センサ１１を設置しても良い。つまり、図９、１０に示すように、感圧センサ１１を内蔵した緩衝部材１２をカバー部分１２aの一部を除きかごドア戸当り柱6の内部に格納したりもしくは金属製のフレーム7内部に格納したものをかごドア戸当り柱6に取り付けたりしてもよい。こうすることで、柔軟な紐状異物の挟み込みを検出するだけではなく、かごドア1aに異物がぶつかった場合も検出できるようになる。
【００３０】
既に述べた実施形態において、感圧センサ１１を内蔵した緩衝部材１２はかごドア1a、1bもしくはかご戸当り柱6のいずれかに設置されていたが、かごドア1a、1bもしくはかごドア1aとかご戸当り柱6の両方に設置しても良い。つまり、片引戸形式のエレベーターであれば、相対するかごドア1aとかご戸当り柱6の両方に感圧センサ１１を内蔵した緩衝部材１２、１３を設置しても良く、両引戸形式のエレベーターであれば、相対する両方のかごドア1a、1bに感圧センサ１１を内蔵した緩衝部材１２、１３を設置してもよい。
【００３１】
また、感圧センサ１１を内蔵した緩衝部材１２と感圧センサ１１を内蔵しない第２の緩衝部材１３をセットにして用いる必要は必ずしも無く、安全性や検出性能に問題が無ければ第２の緩衝部材１３は用いなくても良い。
【００３２】
さらに、検出性能に問題が無ければ、感圧センサ１１を内蔵した緩衝部材１２のベース部分１２bを硬くしたり厚くしたりする必要はない。つまり、感圧センサ１１を内蔵した緩衝部材１２のベース部分１２bを硬くしたのは、異物を挟んだ際に感圧センサ１１で検出しやすくするためであり、感度の良い感圧センサ１１を用いれば感圧センサ１１を内蔵した緩衝部材１２のベース部分１２bを硬くする必要はない。この場合には、感圧センサ１１を内蔵した緩衝部材１２のカバー部分１２aとベース部分１２bを同じ材質・硬度とすることで製作効率が向上する。逆に、緩衝部材１２のベース部分１２bは感圧センサ１１の検出性能や寿命に問題なければ樹脂や金属を用いてもよい。
【００３３】
ここで，本発明で用いている感圧センサ１１は，２枚の薄い電極が僅かな隙間を空けて保持されており，異物を挟んだ際の押圧によって２枚の薄い電極が接触することで圧力を検出する構造である。したがって，押圧によって電極が接触することで圧力を検出するものであれば，フィルムスイッチ，テープスイッチ，ケーブルスイッチなどと呼ばれているものを用いても同様の効果を得る。
【００３４】
なお、本発明では感圧センサ１１の厚さを1mm以下とすることを推奨するが、こうすることで感圧センサ１１で検出するための押し込み量は1mm以内にできるため、細い異物の検出に有利だからである。つまり、多くの押し込み量が必要な感圧センサでは、どんなに強い力でかごドアを閉じたとしても細い異物を挟んだ場合には押し込み量が足らずに検出できない恐れがある。逆に、かごドアの閉じ力を強くすると、何も異物を挟んでいない状態でも誤検出する恐れがある。したがって、本発明の検出対象である柔軟な紐状異物よりも大きなものを検出対象とすれば感圧センサ１１の厚みを限定する必要はない。もちろん、感圧センサ１１の厚さを1mm以下とすれば、本発明の検出対象である柔軟な紐状異物よりも大きなものでも検出が可能である。
【００３５】
また、片引戸形式のエレベーターにおける本発明の実施形態は全て2枚戸であったが、1枚戸や３枚戸以上であっても良い。両引戸形式のエレベーターにおける本発明の実施形態は２枚戸であったが、４枚戸など２枚戸より多くても良いことはもちろんである。
【００３６】
そして、本発明では感圧センサ１１をエレベーターの出入口高さにおける下部３分の２の範囲に設置しているが、これは、本発明が柔軟な紐状異物の検出を目的としているためである。つまり、家電製品のコードやペットのリードなどを検出できれば良いので、エレベーター出入口の上部まで検出範囲は必要ないためであるが、もちろん、本発明による感圧センサの取り付け方法ではエレベーターの出入口高さ全体にわたって感圧センサを設置することもできる。
【００３７】
また、上記実施形態では、かごドアについて説明したが、乗場ドアにも適用できる。
【符号の説明】
【００３８】
1a、1b    かごドア
６        かご戸当たり部
７        フレーム
１１      感圧センサ
１２      緩衝部材
１３      第２の緩衝部材
１４      両面テープ
【図面の簡単な説明】
【００３９】
【図１】本発明のエレベーターのドア装置の一実施形態を示す片開きかごドア正面図である。
【図２】図1に示す断面Ａ−Ａ視図である。
【図３】変形形態を示す図２相当図である。
【図４】エレベーターのドア装置の他の実施形態を示す両開きかごドア正面図である。
【図５】図４に示す断面Ｂ−Ｂ視図である。
【図６】変形形態を示す図５相当図である。
【図７】本発明における感圧センサを内蔵した緩衝部材の詳細断面図である。
【図８】本発明における感圧センサを内蔵した緩衝部材の分解図である。
【図９】更に他の実施形態を示す図２相当図である。
【図１０】更に他の実施形態を示す図３相当図である。
【図１】
0005222618.tif 000002
【図２】
0005222618.tif 000003
【図３】
0005222618.tif 000004
【図４】
0005222618.tif 000005
【図５】
0005222618.tif 000006
【図６】
0005222618.tif 000007
【図７】
0005222618.tif 000008
【図８】
0005222618.tif 000009
【図９】
0005222618.tif 000010
【図１０】
0005222618.tif 000011